(57)【特許請求の範囲】
【請求項１】
支柱と、一端で支柱に垂直面内で回動自在に支持されたアーム手段と、アーム手段の他端に取り付けられた扉と、この扉及びアーム手段の自重に抗して扉の跳ね上げ方向に弾性力をアーム手段に付与する弾性力付与手段と、ケーシング、ケーシングに対して相対的に回転自在となるようにケーシング内に収容されて当該ケーシングと協同してケーシング内に隙間を形成する隙間形成体及びこの隙間形成体とケーシングとの間の隙間に充填された粘性体を具備していると共に、隙間形成体とケーシングとのうちの一方が支柱に対して回転自在に設けられており、開閉扉によるアーム手段の回動において互いに相対的に回転されるケーシング及び隙間形成体間の粘性体に生じる粘性剪断に基づいて、当該回動に抗する粘性剪断抵抗力をアーム手段に付与する粘性剪断抵抗力付与手段と、アーム手段の回転を、隙間形成体とケーシングとのうち支柱に対して回転自在に設けられた一方に伝達する伝達機構とを具備しており、弾性力付与手段は、アーム手段の回動と共に回転されるように当該アーム手段に固着されたカム板と、一端がカム板に連結され、中間がカム板のカム縁に当接して曲げ案内されるチェーンと、一端がチェーンの他端に取り付けられ、他端が支柱に取り付けられたコイルばねとを具備しており、カム縁は、前記チェーンの一端側の中間の部位を曲げ案内すると共にアーム手段の回動中心を中心とした円弧縁と、この円弧縁に連続していると共に前記チェーンの他端側の中間の部位を案内する直線縁とを具備しており、伝達機構は、アーム手段に設けられたスプロケットホイールと、隙間形成体とケーシングとのうち支柱に対して回転自在に設けられた一方に設けられたスプロケットホイールと、両スプロケットホイールに掛け渡されたチェーンとを具備している跳ね上げ式門扉。
【請求項２】
隙間形成体は、板体を具備しており、この板体には、同心状に複数の突起が形成されており、ケーシングには、突起を受容する凹所が同心状に形成されている請求項１に記載の跳ね上げ式門扉。
【請求項３】
弾性力付与手段は、同心に配された一対のコイルばねを具備しており、この一対のコイルばねは、互いにその弾性係数が異なっている請求項１又は２に記載の跳ね上げ式門扉。
【発明の詳細な説明】
【０００１】
【発明の属する技術分野】
本発明は、車庫等の出入口に用いて好適な跳ね上げ式門扉に関する。
【０００２】
【発明が解決しようとする課題】
この種の門扉としては、特開平７−２７９５６４号公報等に記載のような、支柱と、一端で支柱に回動自在に支持されたアームと、アームの他端に取り付けられた扉と、この扉及びアームの自重に抗して扉の跳ね上げ方向に弾性力をアームに付与するコイルばね及びガススプリングからなる弾性力付与手段とを具備したものが知られている。
【０００３】
ところで、上記公報記載の類いの跳ね上げ式門扉は、コイルばねとガススプリングとによって、アーム及び扉のそれぞれの自重に抗するような弾性的な跳ね上げ力をアームに付与して、手動による開扉を容易にしているが、開扉に際して扉にかける手動力が大きい場合には、弾性的な跳ね上げ力に加えてこの大きな手動力がアームに加わるため、アームが勢いよく回動されることとなり、アームがストッパ等に激突して、不快な騒音を発し、扉の寿命を縮めたりする虞がある。また、手動による閉扉の際にも、同じく大きな手動力を扉にかけると、同様な不都合が生じる虞がある。
【０００４】
本発明は、前記諸点に鑑みてなされたものであって、その目的とするところは、扉にかける手動力が通常より大きい場合においても、アーム手段及び扉に急激な回動を生じさせることなしに、スムーズに扉を開閉することができ、アーム手段の激突による不快音の発生をなくし得、寿命の長い跳ね上げ式門扉を提供することにある。
【０００５】
【課題を解決するための手段】
本発明によれば前記目的は、支柱と、一端で支柱に垂直面内で回動自在に支持されたアーム手段と、アーム手段の他端に取り付けられた扉と、この扉及びアーム手段の自重に抗して扉の跳ね上げ方向に弾性力をアーム手段に付与する弾性力付与手段と、ケーシング、ケーシングに対して相対的に回転自在となるようにケーシング内に収容されて当該ケーシングと協同してケーシング内に隙間を形成する隙間形成体及びこの隙間形成体とケーシングとの間の隙間に充填された粘性体を具備していると共に、隙間形成体とケーシングとのうちの一方が支柱に対して回転自在に設けられており、開閉扉によるアーム手段の回動において互いに相対的に回転されるケーシング及び隙間形成体間の粘性体に生じる粘性剪断に基づいて、当該回動に抗する粘性剪断抵抗力をアーム手段に付与する粘性剪断抵抗力付与手段と、アーム手段の回転を、隙間形成体とケーシングとのうち支柱に対して回転自在に設けられた一方に伝達する伝達機構とを具備しており、弾性力付与手段は、アーム手段の回動と共に回転されるように当該アーム手段に固着されたカム板と、一端がカム板に連結され、中間がカム板のカム縁に当接して曲げ案内されるチェーンと、一端がチェーンの他端に取り付けられ、他端が支柱に取り付けられたコイルばねとを具備しており、カム縁は、前記チェーンの一端側の中間の部位を曲げ案内すると共にアーム手段の回動中心を中心とした円弧縁と、この円弧縁に連続していると共に前記チェーンの他端側の中間の部位を案内する直線縁とを具備しており、伝達機構は、アーム手段に設けられたスプロケットホイールと、隙間形成体とケーシングとのうち支柱に対して回転自在に設けられた一方に設けられたスプロケットホイールと、両スプロケットホイールに掛け渡されたチェーンとを具備している跳ね上げ式門扉によって達成される。
【０００６】
本発明においては、隙間形成体が支柱側に固定される場合には、ケーシングが回転自在とされ、これに代えて、ケーシングが支柱側に固定される場合には、隙間形成体が回転自在とされる。
【０００７】
隙間形成体は、板体を具備しており、この板体には、好ましい一つの例では、同心状に複数の突起が形成されており、この場合、ケーシングには、突起を受容する凹所が同心状に形成されている。なお、隙間形成体としては、上記のものに限定されず、円柱体又は円筒体を具備して構成されてもよい。
【０００８】
弾性力付与手段は、好ましくは、互いにその弾性係数が異なり、同心に配された一対のコイルばねを具備して構成される。
【０００９】
【発明の実施の形態】
次に本発明の実施の形態を、図に示す好ましい実施例に基づいて更に詳細に説明する。なお、本発明はこれら実施例に何等限定されないのである。
【００１０】
【実施例】
図１から図５において、本例の跳ね上げ式門扉１は、立設された一対の支柱２及び３と、一端４及び５で支柱２及び３のそれぞれに垂直面内で回動自在、すなわちＲ方向に回動自在に支持された一対のアーム手段６及び７と、アーム手段６及び７のそれぞれの他端８及び９に取り付けられた扉１０と、扉１０及びアーム手段６及び７の自重に抗して扉１０の跳ね上げ方向に弾性力をアーム手段６及び７のそれぞれに付与する弾性力付与手段１１及び１２と、開閉扉によるアーム手段６及び７の回動において当該回動に抗する粘性剪断抵抗力を、アーム手段６及び７のそれぞれに付与する粘性剪断抵抗力付与手段１３及び１４とを具備している。
【００１１】
本例では、支柱２側に、弾性力付与手段１１と粘性剪断抵抗力付与手段１３とが、支柱３側に、弾性力付与手段１２と粘性剪断抵抗力付与手段１４とがそれぞれ設けられているが、支柱２及び３側のうちいずれか一方にのみに弾性力付与手段と粘性剪断抵抗力付与手段とを設けて構成してもよく、また、支柱２側には、弾性力付与手段と粘性剪断抵抗力付与手段とのうちいずれか一方を、支柱３側には、弾性力付与手段と粘性剪断抵抗力付与手段とのうちいずれか他方をそれぞれ設けて構成してもよい。以下、支柱２側について説明し、支柱３側は、同様に構成されているので説明を省略する。
【００１２】
支柱２は本例では中空体からなり、この中空体の中に、弾性力付与手段１１、粘性剪断抵抗力付与手段１３及び後述する伝達機構１５とが収容されている。
【００１３】
アーム手段６は、断面矩形状のアーム部材２１と、一端２２にアーム部材２１の一端４が嵌着された軸２３とを具備しており、軸２３は、支柱２に回転自在に支持されており、これによりアーム手段６は、一端４で支柱２にＲ方向に回転自在に支持されている。本例では、アーム手段６は、一本のみのアーム部材２１を具備して構成されているが、これに代えて、特開平７−２７９５６４号公報に記載のような複数本のアーム部材を具備して構成されてもよい。なお、扉１０とアーム部材２１との間には、補強部材２４が取り付けられている。なお、アーム部材２１の垂直回動状態以上の回動を阻止するストッパ（図示せず）が支柱２に設けられている。
【００１４】
本例の扉１０は、目隠し用の多数の横格子２５が取り付けられたものであるが、これに限定されず、縦格子を取り付けたもの等その他のものであってもよい。
【００１５】
弾性力付与手段１１は、アーム手段６の回動と共に回転されるように当該アーム手段６の軸２３に固着されたカム板３１と、カム板３１にピン３２を介してピストンロッド３３の一端３４が回動自在に連結され、シリンダ３５の下端３６が、支柱２に取り付けられたブラケット３７にピン３８を介して回動自在に連結されたガススプリング３９と、カム板３１にピン４０を介して一端４１が連結され、中間４２がカム板３１のカム縁４３に当接して曲げ案内され、他端４４にピン４５を介して回動自在に連結された連結具４６を有したチェーン４７と、それぞれの一端５１及び５２がチェーン４７の他端４４に取り付けられ、それぞれの他端５４及び５５が支柱２にブラケット５６を介して取り付けられた一対のコイルばね５９及び６０とを具備しており、同心に配された一対のコイルばね５９及び６０は、互いにその弾性係数が異なるものからなっている。カム縁４３は、アーム手段６の回動中心でもある軸２３の回転中心を中心とした円弧縁６１と、円弧縁６１に連続した直線縁６２とを具備している。コイルばね５９及び６０の一端５１及び５２は、チェーン４７の連結具４６の孔５３に引っかけられており、コイルばね５９及び６０の他端５４及び５５は、ブラケット５６に取り付けられた連結具５７の孔５８に引っかけられている。尚、ブラケット５６は、支柱２に取り付けられている。
【００１６】
連結具５７は、ねじ部６５を有しており、ねじ部６５にばね力調整用のナット６６が螺合されて、ブラケット５６に取り付けられており、ナット６６のねじ部６５への螺合量を変えることにより、コイルばね５９及び６０によって生起される弾性力を調整することができる。また、本例では、弾性力付与手段１１が一対のコイルばね５９及び６０を具備しているため、大部分の跳ね上げ力を一方のコイルばね５９に担当させ、他方のコイルばね６０を微調整用として用いることができる。ガススプリング３９並びにコイルばね５９及び６０は、それぞれの弾性力によって、図２において時計回りの方向にカム板３１を回転させるようになっている。
【００１７】
粘性剪断抵抗力付与手段１３は、ケーシング７１と、ケーシング７１に対して相対的にＲ方向に回転自在となるようにケーシング７１内に収容されて、ケーシング７１と協同してケーシング７１内に隙間７２を形成する隙間形成体７３と、隙間形成体７３とケーシング７１との間の隙間７２に充填されたシリコンオイル等の流体からなる粘性体７４とを具備している。ケーシング７１は、対称に形成された二つの半割部材７６及び７７からなり、リベット７８等によりこれらが一体化されて形成されている。本例では、ケーシング７１は、ピン７５により支柱２にＲ方向に回転しないように固定されており、隙間形成体７３は、対向して両面に段部７９が形成された円盤状の板体８０と、板体８０を貫通してかつ板体８０に固着された軸８１とを具備しており、軸８１が支柱２に回転自在に支持されて、ケーシング７１に対してＲ方向に回転自在とされており、各段部７９には、粘性体７４の漏出を防止するシールリング８２が設けられている。粘性剪断抵抗力付与手段１３は、隙間形成体７３の板体８０のケーシング７１内でのＲ方向の回転により、粘性体７４に粘性剪断抵抗力を発生させて、この発生した粘性剪断抵抗力に基づいて、アーム手段６の回動に抗する粘性剪断抵抗力をアーム手段６に付与する。
【００１８】
アーム手段６のＲ方向の回転を隙間形成体７３に伝達する伝達機構１５は、軸２３に固着して設けられたスプロケットホイール８５と、隙間形成体７３の軸８１に固着して設けられたスプロケットホイール８６と、両スプロケットホイール８５及び８６に掛け渡されたチェーン８７とを具備している。伝達機構１５は、アーム部材２１のＲ方向の回転を、スプロケットホイール８５の回転、チェーン８７の走行及びスプロケットホイール８６の回転により軸８１に伝達し、これにより板体８０を回転させる。
【００１９】
以上のように形成された跳ね上げ式門扉１では、手動により扉１０が持ち上げられると、アーム部材２１が上方にＲ方向に回転され、これと共にカム板３１も同様に回転される。この回転において、コイルばね５９及び６０の弾性引っ張り力及びガススプリング３９の空気弾性伸張力により、扉１０等の自重が適宜打ち消されて、手動開扉が困難なく行えるようになっている。一方、閉扉の場合も同様であって、手動による扉１０への少しの下降力の付加により、コイルばね５９及び６０の引っ張り力及びガススプリング３９の伸張力の作用で、容易に閉扉することができる。
【００２０】
更に、跳ね上げ式門扉１では、開扉又は閉扉においては板体８０のケーシング７１内でのＲ方向の相対回転が生じ、これにより粘性体７４の粘性剪断に基づく粘性剪断抵抗力がアーム部材２１に付与されることになり、コイルばね５９及び６０の弾性引っ張り力及びガススプリング３９の空気弾性伸張力の微妙なバランスが崩れても、これにそれほど影響されることなく、スムーズな開扉及び閉扉を得ることができる。また、扉１０に加える持ち上げ力又は引き下げ力が比較的大きく、アーム部材２１が急激にＲ方向に回動されようとした場合、板体８０のケーシング７１内でのＲ方向の相対回転がより速くなろうとする結果、粘性体７４により生じる粘性剪断抵抗力が大きくなり、この大きな粘性剪断抵抗力をアーム部材２１に付与するため、実質的にアーム部材２１には、回動速度に比例した制動力が働き、扉１０が急激に回動して、地面又はストッパに激突して、不快な騒音を発するような事態を避けることができる。
【００２１】
上記の例では、凹凸のない板体８０で隙間形成体７３を構成したが、これに代えて、図６に示すように、板体８０の両面に同心状に複数の突起９１を形成してもよく、この場合、ケーシング７１には、当該突起を受容する凹所９２を同心状に形成するとよく、このような突起９１を有する隙間形成体７３と、凹所９２を有するケーシング７１との間の隙間７２に、粘性体７４を充填して、前記と同様に作動させてもよい。また、伝達機構１５としては、隙間形成体７３とケーシング７１とのうち支柱２に対して回転自在に設けられた方、上記例では、隙間形成体７３と、アーム手段６の軸２３との間に介在された複数の互いに噛み合った歯車を具備した歯車機構から構成してもよく、更には、アーム手段６の回動を、隙間形成体７３に直接伝達すべく、隙間形成体７３とアーム手段６とは、共通軸を有して構成されてもよい。
【００２２】
【発明の効果】
以上のように本発明によれば、扉にかける手動力が通常より大きい場合においても、アーム手段及び扉に急激な回動を生じさせることなしに、スムーズに扉を開閉することができ、アーム手段の激突による不快音の発生をなくし得、寿命を長くすることができる。
【図面の簡単な説明】
【図１】本発明の好ましい一実施例の斜視図である。
【図２】図１に示す実施例の支柱上部の側面説明図である。
【図３】図１に示す実施例の支柱下部の側面説明図である。
【図４】図１に示す実施例の支柱上部の正面説明図である。
【図５】図１に示す実施例の粘性剪断抵抗力付与手段の平面断面説明図である。
【図６】図１に示す実施例に適用し得る他の粘性剪断抵抗力付与手段の平面断面説明図である。
【符号の説明】
１  跳ね上げ式門扉
２  支柱
６  アーム手段
１０  扉
１１  弾性力付与手段
１３  粘性剪断抵抗力付与手段
【図１】
0003651149.tif 000002
【図２】
0003651149.tif 000003
【図３】
0003651149.tif 000004
【図４】
0003651149.tif 000005
【図５】
0003651149.tif 000006
【図６】
0003651149.tif 000007